(57)【要約】【課題】  トーリック眼内レンズによる矯正精度を向上させる。【解決手段】  被検眼角膜形状から波面収差を測定する角膜形状測定手段と、被検眼角膜に形成する角膜切開創に関する角膜切開創情報を入力するための入力手段と、入力手段によって入力された角膜切開創情報に対応する切開収差情報を取得し、角膜形状測定手段によって測定された切開前の波面収差と，切開収差情報と，に基づいて、切開創形成後の波面収差を算出する切開後波面収差算出手段と、切開後波面収差算出手段によって得られた波面収差に基づいて眼内レンズ手術をガイドするためのガイド情報を出力するガイド手段と、を備える。【選択図】      図１
2013135837.tif 000002
【特許請求の範囲】
【請求項１】
被検眼角膜形状から波面収差を測定する角膜形状測定手段と、
被検眼角膜に形成する角膜切開創に関する角膜切開創情報を入力するための入力手段と、
前記入力手段によって入力された前記角膜切開創情報に対応する切開収差情報を取得し、前記角膜形状測定手段によって測定された切開前の波面収差と，前記切開収差情報と，に基づいて、切開創形成後の波面収差を算出する切開後波面収差算出手段と、
前記切開後波面収差算出手段によって得られた波面収差に基づいて眼内レンズ手術をガイドするためのガイド情報を出力するガイド手段と、
を備えることを特徴とする眼科装置。
【請求項２】
前記角膜切開創情報は、角膜切開創位置情報及び角膜切開創のサイズ情報の少なくとも一方であって、
前記切開後波面収差算出手段は、前記入力手段によって入力された前記角膜切開創位置情報及び前記角膜切開創サイズ情報の少なくとも一方に対応する切開収差情報を取得し、前記角膜形状測定手段によって測定された切開前の波面収差と，前記切開収差情報と，に基づいて、角膜切開創形成後の波面収差を算出する請求項１の眼科装置。
【請求項３】
前記ガイド手段は、前記切開後波面収差算出手段によって算出された波面収差に基づいて被検眼の乱視軸方向を算出し、算出した被検眼の乱視軸情報を出力する請求項２の眼科装置。
【請求項４】
被検眼を観察するための観察光学系を備え、
前記ガイド手段は、算出された乱視軸情報を示すグラフィックを生成し、前記観察光学系によって観察される観察像に重畳表示することを特徴とする請求項３の眼科装置。
【請求項５】
前記波面収差算出手段による波面収差を用いて、眼内レンズの度数計算を行う度数計算ユニットと、
を備えることを特徴とする請求項１〜４のいずれかの眼科装置。
【請求項６】
前記切開後波面収差算出手段は、前記入力手段によって入力された前記角膜切開創情報に対応する瞳上の二次元的な波面収差分布の変化情報を取得し、前記角膜形状測定手段によって測定された切開前の波面収差分布と，前記変化情報とに、基づいて切開創形成後の波面収差分布を算出する請求項１〜５のいずれかの眼科装置。
【請求項７】
前記変化情報は、高次収差を含む請求項１〜６のいずれかの眼科装置。
【請求項８】
被検眼の瞳孔径を測定するための瞳孔径測定手段を備え、
前記切開後波面収差算出手段は、前記角膜形状測定手段によって測定された波面収差の内、前記瞳孔径測定手段によって算出された瞳孔径の領域に対応する波面収差を波面収差として算出する請求項１〜７のいずれかの眼科装置。
【請求項９】
前眼部情報を取得する前眼部測定手段であって、
前記切開後波面収差算出手段は、前記角膜形状測定手段によって測定された切開前の波面収差と，前記切開収差情報と，前記前眼部測定手段によって取得された前眼部情報と，に基づいて、切開創形成後の波面収差を算出する請求項１〜８のいずれかの眼科装置。
【請求項１０】
切開後波面収差算出手段によって算出された切開創形成後の波面収差と、トーリック眼内レンズの収差情報とに基づいて術後の予測波面収差を算出する予測波面収差算出手段を備える請求項１〜９のいずれかの眼科装置。
【請求項１１】
前記予測波面収差算出手段は、トーリック眼内レンズの配置角度に応じた予測波面収差を算出する請求項１０の眼科装置。
【請求項１２】
前記予測波面収差算出手段によって算出された予測波面収差に基づいて見え方シミュレーション用の画像を取得する画像処理手段を備える請求項１０〜１１のいずれかの眼科装置。
【請求項１３】
前記入力手段は、さらに、トーリック眼内レンズの配置角度を変更するための入力手段である請求項１１又は請求項１２の眼科装置。
【請求項１４】
角膜形状から波面収差を測定する角膜形状測定工程と、
角膜切開創位置情報及び角膜切開創のサイズ情報を出力するための操作工程と、
角膜切開創位置情報及び角膜切開創のサイズ情報毎に生じる波面収差を補正するための波面収差補正量が記憶された記憶部と、
前記操作工程によって出力された前記角膜切開創位置情報及び前記角膜切開創のサイズ情報に基づいて、前記記憶部に記憶された波面収差変化量を呼び出し、前記角膜形状測定工程によって測定された波面収差に波面収差変化量を加える波面収差算出工程と、
前記波面補正工程によって得られた波面収差の測定結果に基づいて眼内レンズ手術をガイドするためのガイド情報を出力するガイド工程と、
前記前眼部測定工程、前記操作工程、前記波面収差算出工程、前記ガイド工程、とをコンピュータで実行する眼科プログラム。
【発明の詳細な説明】
【技術分野】
【０００１】
本発明は、白内障手術によって眼内に挿入される眼内レンズの度数を決定する眼内レンズ度数決定するための装置及びプログラムに関する。
【背景技術】
【０００２】
白内障手術において、水晶体核の除去後に被検眼の眼内に挿入される眼内レンズ（以下、ＩＯＬ）のパワー（以下、度数）を決定（算出）するために、被検眼を測定して角膜屈折力と眼軸長等の被検者特有の眼特性データを得る。これを基礎とし、論理によって作成されたＩＯＬ計算式に従って、ＩＯＬの度数を算出する。ＩＯＬ計算式は、ＳＲＫ式、ＳＲＫ／Ｔ式、等が周知である（特許文献１参照）。
【０００３】
近年、眼内レンズの一つとして、乱視矯正に対応したトーリック眼内レンズ（TORIC-Intraocular lens）が現れている。このようなトーリック眼内レンズを処方する場合、ケラトメータ（例えば、特許文献２）により角膜曲率及び角膜乱視軸が算出され、眼軸長測定装置によって眼軸長が算出され、これらに基づいて挿入するトーリック眼内レンズが決定される。
【０００４】
そして、術者は、専用の部材を用いて被検眼の水平軸方向に第一のマーキングをし、さらに、第一のマーキングを基準として、被検眼の乱視軸（強主経線方向）に対応する位置に第二のマーキングを施し、この第二のマーキングとトーリック眼内レンズの乱視軸が合うように眼内レンズを眼内に挿入する。
【先行技術文献】
【特許文献】
【０００５】
【特許文献１】特表２００７−５０５７１６号公報
【特許文献２】特開２００３−１６９７７８号公報
【発明の概要】
【発明が解決しようとする課題】
【０００６】
しかしながら、被検眼の乱視軸方向（例えば、乱視の強主経線方向）とトーリックＩＯＬの乱視軸方向とがずれた状態で眼内に挿入されてしまうと、十分な矯正結果が得られない場合がある。軸ずれが生じる要因は多く存在する。
【０００７】
例えば、術中において、ＩＯＬを挿入するための角膜切開創を作成するために、角膜を切開すると、角膜形状が変化する。これによって、術前と術後では、角膜全体のいたるところに収差の変化が生じる。そして、術前時に測定した波面収差状態が変化してしまうため、術前時に測定した波面収差状態にてＩＯＬによる矯正を行った場合、乱視方向の変化が生じ、十分な矯正が得られない場合がある。
【０００８】
これに対して、術前の乱視軸方向を検出し、角膜切開創による角膜の変形を惹起乱視として表現し、度数計算を行うためのパラメータとして用いている。
【０００９】
しかしながら、角膜切開による角膜の変形は、乱視のような瞳孔中心付近に関して線対称性があるものではなく、高次収差として現れる。角膜切開による収差変化は、角膜全体で生じているため、術前の角膜の乱視軸を求めて乱視軸方向を補正しただけでは、角膜形状の一部の情報である乱視の変化を捉えているにすぎず、その矯正精度には、不十分なものであると考えられる。
【００１０】
本発明は、上記問題点を鑑み、トーリック眼内レンズによる矯正精度を向上させる眼科装置を提供することを技術課題とする。
【課題を解決するための手段】
【００１１】
上記課題を解決するために、本発明は以下のような構成を備えることを特徴とする。
【００１２】
（１）  被検眼角膜形状から波面収差を測定する角膜形状測定手段と、被検眼角膜に形成する角膜切開創に関する角膜切開創情報を入力するための入力手段と、前記入力手段によって入力された前記角膜切開創情報に対応する切開収差情報を取得し、前記角膜形状測定手段によって測定された切開前の波面収差と，前記切開収差情報と，に基づいて、切開創形成後の波面収差を算出する切開後波面収差算出手段と、前記切開後波面収差算出手段によって得られた波面収差に基づいて眼内レンズ手術をガイドするためのガイド情報を出力するガイド手段と、を備えることを特徴とする。
（２）  前記角膜切開創情報は、角膜切開創位置情報及び角膜切開創のサイズ情報の少なくとも一方であって、前記切開後波面収差算出手段は、前記入力手段によって入力された前記角膜切開創位置情報及び前記角膜切開創サイズ情報の少なくとも一方に対応する切開収差情報を取得し、前記角膜形状測定手段によって測定された切開前の波面収差と，前記切開収差情報と，に基づいて、角膜切開創形成後の波面収差を算出する（１）の眼科装置。
（３）  前記ガイド手段は、前記切開後波面収差算出手段によって算出された波面収差に基づいて被検眼の乱視軸方向を算出し、算出した被検眼の乱視軸情報を出力する（２）の眼科装置。
（４）  被検眼を観察するための観察光学系を備え、前記ガイド手段は、算出された乱視軸情報を示すグラフィックを生成し、前記観察光学系によって観察される観察像に重畳表示することを特徴とする（３）の眼科装置。
（５）  前記波面収差算出手段による波面収差を用いて、眼内レンズの度数計算を行う度数計算ユニットと、を備えることを特徴とする（１）〜（４）のいずれかの眼科装置。
（６）  前記切開後波面収差算出手段は、前記入力手段によって入力された前記角膜切開創情報に対応する瞳上の二次元的な波面収差分布の変化情報を取得し、前記角膜形状測定手段によって測定された切開前の波面収差分布と，前記変化情報とに、基づいて切開創形成後の波面収差分布を算出する（１）〜（５）のいずれかの眼科装置。
（７）  前記変化情報は、高次収差を含む（１）〜（６）のいずれかの眼科装置。
（８）  被検眼の瞳孔径を測定するための瞳孔径測定手段を備え、前記切開後波面収差算出手段は、前記角膜形状測定手段によって測定された波面収差の内、前記瞳孔径測定手段によって算出された瞳孔径の領域に対応する波面収差を波面収差として算出する（１）〜（７）のいずれかの眼科装置。
（９）  前眼部情報を取得する前眼部測定手段であって、前記切開後波面収差算出手段は、前記角膜形状測定手段によって測定された切開前の波面収差と，前記切開収差情報と，前記前眼部測定手段によって取得された前眼部情報と，に基づいて、切開創形成後の波面収差を算出する（１）〜（８）のいずれかの眼科装置。
（１０）  切開後波面収差算出手段によって算出された切開創形成後の波面収差と、トーリック眼内レンズの収差情報とに基づいて術後の予測波面収差を算出する予測波面収差算出手段を備える（１）〜（９）のいずれかの眼科装置。
（１１）  前記予測波面収差算出手段は、トーリック眼内レンズの配置角度に応じた予測波面収差を算出する（１０）の眼科装置。
（１２）  前記予測波面収差算出手段によって算出された予測波面収差に基づいて見え方シミュレーション用の画像を取得する画像処理手段を備える（１０）〜（１１）のいずれかの眼科装置。
（１３）  前記入力手段は、さらに、トーリック眼内レンズの配置角度を変更するための入力手段である（１１）又は（１２）の眼科装置。
（１４）  角膜形状から波面収差を測定する角膜形状測定工程と、角膜切開創位置情報及び角膜切開創のサイズ情報を出力するための操作工程と、角膜切開創位置情報及び角膜切開創のサイズ情報毎に生じる波面収差を補正するための波面収差補正量が記憶された記憶部と、前記操作工程によって出力された前記角膜切開創位置情報及び前記角膜切開創のサイズ情報に基づいて、前記記憶部に記憶された波面収差変化量を呼び出し、前記角膜形状測定工程によって測定された波面収差に波面収差変化量を加える波面収差算出工程と、前記波面補正工程によって得られた波面収差の測定結果に基づいて眼内レンズ手術をガイドするためのガイド情報を出力するガイド工程と、前記前眼部測定工程、前記操作工程、前記波面収差算出工程、前記ガイド工程、とをコンピュータで実行する眼科プログラム。
【発明の効果】
【００１３】
本発明によれば、トーリック眼内レンズによる矯正精度を向上できる。
【発明を実施するための形態】
【００１４】
以下、本発明に係る実施形態を図面に基づいて説明する。図１は本実施形態に係る眼科装置の光学系及び制御系について示す概略構成図である。なお、本実施形態においては、被検眼（眼Ｅ）の軸方向をＺ方向、水平方向をＸ方向、鉛直方向をＹ方向として説明する。なお、以下の光学系は、図示無き筐体に内蔵されている。また、その筐体は、周知のアライメント移動機構の駆動により、操作部材（例えば、ジョイスティック）を介して被検眼Ｅに対して３次元的に移動される。
【００１５】
装置構成の概略を説明する。なお、以下の説明においては、眼軸長測定部１０と、角膜形状測定部５と、を備えた眼科装置を例に挙げて説明する。
【００１６】
眼軸長測定部１０は、眼Ｅの眼軸長測定を測定するために用いられる。角膜形状測定部５は、角膜形状を測定するために用いられる。
【００１７】
角膜形状測定部５は、プラチドリング投影光学系４０と撮像光学系３０とを備える。プラチドリング投影光学系４０は、多数の円環状の指標が形成されたプラチド板４１と、プラチド板４１を背後から照明する可視光源４２と、反射板４３とを備える。撮像光学系３０は、ダイクロイックミラー３３、対物レンズ４７、ミラー６２、フィルタ３４、撮像レンズ３７、撮像手段としての二次元撮像素子３５を備える。二次元撮像素子３５は、前眼部と略共役位置に配置されている。なお、撮像光学系３０は前眼部正面撮像光学系として兼用される。また、撮像光学系３０は、被検者眼の瞳孔径を測定するために用いられる。
【００１８】
眼軸長測定部１０は、投光光学系と受光光学系が備えられており、投光光学系には、低コヒーレント光を出射する測定光源１が備えられている。そして、光源１から出射された光を測定光と参照光に分割し、少なくとも測定光を被検眼に照射すると共に、被検眼からの反射光と参照光を合成させ、受光素子に入射させる。そして、受光素子から出力される受光信号に基づいて、受光素子によって干渉光が検出されたタイミングを元に、眼軸長が算出される。なお、本実施例では、眼軸長測定光学系１０の測定光源は、固視灯を兼ねている。
【００１９】
また、例えば、光源１から発せられた光の眼底での反射により取得される眼底反射光の大部分は、ダイクロイックミラー３３を透過し、眼軸長測定部１０の受光素子によって受光される。
【００２０】
次に、制御系について説明する。制御部８０は、装置全体の制御及び測定結果の算出を行う。制御部８０は、光源１、光源４２、撮像素子３５、モニタ７０、メモリ８５、操作部８４等と接続されている。制御部８０は、角膜形状の角膜曲率分布、被検眼角膜表面の３次元形状（測定光軸Ｌ１方向における被検眼角膜高さ分布）、角膜屈折力分布、等の被検眼角膜に関する詳細情報（測定データ）を演算する機能を持つ。制御部８０による演算結果はモニタ７０に表示される。操作部８４は、制御部８０に指令信号を入力する各種のスイッチを持つ。
【００２１】
以下、本装置における制御動作について説明する。図２は、本装置における制御動作のフローチャートを示す図である。本実施形態に係る眼科装置は、角膜形状測定結果を用いて、ＩＯＬの挿入を効果的に支援する。以下の説明において、乱視矯正に対応したトーリックＩＯＬを例に挙げる。以下、ＩＯＬの挿入の支援として、ＩＯＬを眼内に配置する位置を算出するために、術前に術後の被検眼の軸方向位置（軸方位）を精度良く算出する方法について説明する。
【００２２】
＜角膜形状の測定＞
初めに、制御部８０は、角膜形状測定部５によって角膜形状の測定を行う。角膜形状測定では、光源４２が点灯され、角膜にプラチドリングが投影される。このとき、眼Ｅに固視灯を固視させる。撮像素子３５に撮像された前眼部像はモニタ７０に表示される。検者はモニタ７０に表示された前眼部像のアライメント状態を見ながら、図示なきジョイスティック等の操作手段を用いて、装置を上下左右及び前後方向に移動させ、装置を眼Ｅに対して所定の位置関係に置く。
【００２３】
アライメント完了後、測定開始のトリガ信号が自動又は手動にて出力され、撮像素子３５により撮像されたプラチドリング像がメモリ８５に記憶される。
【００２４】
アライメント完了後、測定開始のトリガ信号が自動又は手動にて出力され、撮像素子３５により撮像されたプラチドリング像がメモリ８５に記憶される。
【００２５】
初めに、制御部８０は、取得されたプラチド画像に基づいて、瞳孔径を算出する。以下に、前眼部画像より瞳孔のエッジ位置を求め、瞳孔径を検出する方法を図３に基づいて説明していく。
【００２６】
図３の（ａ）はメモリ８５に記憶された瞳孔画像状態を示し、（ｂ）は走査線Ｌでの映像信号を示す。瞳孔（暗部）と虹彩（明部）との境界（エッジ）を知るために、まず、図２の（ｂ）における信号波形を微分処理する。このときの信号波形は図３の（ｃ）のようになる。この信号は正負の信号となっているので、さらに、これを２乗すると図３の（ｄ）に示す正の数値の信号になる。図３の（ｄ）において、高さｅ１の初めの波形信号と高さｅ２の最後の波形信号のエッジを、例えば、各々の高さ（振幅）の１／２の点と定義すると、画素位置ｎ１，ｎ２が走査線Ｌでのエッジの座標位置となる。
【００２７】
また、画素位置ｎ１，ｎ２からその間隔の画素数ｎが求められる。ここで、１画素分の長さをＫ、光学倍率をＰとすると、画素位置ｎ１，ｎ２の間の距離（瞳孔径ＰＳ´）は、
ＰＳ´＝ｎ＊Ｋ／Ｐ
の式から求められる。すなわち、Ｋ、Ｐの値は装置固有の既知の値であるので、上記の画素数ｎを求めれば瞳孔径が得られる。
【００２８】
このとき、瞳孔の輪郭情報に基づいて瞳孔中心の位置が検出され、その瞳孔中心を基準に各経線方向の瞳孔径が算出される。なお、瞳孔検出に用いる前眼部画像の撮影に関しては、明視野状態における瞳孔の大きさと暗視野状態における瞳孔の大きさの両方を検出してもよいし、どちらか一方でもかまわない。
【００２９】
瞳孔径算出後、制御部８０は、取得されたプラチド画像に基づいて、角膜曲率分布、被検眼角膜表面の３次元形状（測定光軸Ｌ１方向における被検眼角膜高さ分布）、角膜屈折力分布、等の被検眼角膜に関する詳細情報（測定データ）を得る。また、制御部８０は、得られた被検眼角膜高さ分布と、収差が０と仮定された角膜高さ分布と、を比較して、その差分情報に基づいて、上記で算出された所定の瞳孔径における被検眼角膜の波面収差を求める。
【００３０】
ここで、術中において、トーリックＩＯＬを挿入するための角膜切開創を作成するために、角膜を切開すると、角膜形状が変化する。図４は、角膜切開前と角膜切開後の収差の変化を示す図である。角膜を切開することによって、術前と術後では、角膜全体において、多くの箇所に収差の変化が生じる。このため、術後での角膜全体の波面収差を算出して、その測定結果に基づいて、術後の被検眼の乱視軸方向を算出する必要がある。そして、算出した術後の被検眼の乱視軸方向は、トーリックＩＯＬを挿入する際のガイドとして利用される。これによって、トーリックＩＯＬによる矯正精度が向上できる。
【００３１】
＜波面収差の算出＞
以下、角膜切開創を作成した場合を考慮した、乱視軸方向の算出について説明する。メモリ８５には、切開創を形成する位置に応じた切開収差情報と、切開創のサイズに応じた切開収差情報とが、それぞれテーブルとして記憶されている。切開収差情報は、例えば、切開創を形成する位置及び切開創のサイズに応じた瞳上の二次元的な波面収差分布の変化情報を示す。また、変化情報には、例えば、高次収差が含まれる。
【００３２】
検者によって、操作部８４が操作され、被検眼角膜に形成する角膜切開創に関する角膜切開創情報が入力されると、制御部８０は、入力された角膜切開創情報（例えば、切開創を形成する位置及び切開創のサイズ）に対応する切開収差情報をメモリ８５から取得する。そして、制御部８０は、切開前の波面収差と切開収差情報に基づいて、切開創形成後の波面収差（波面収差分布）を算出する。すなわち、切開創を形成する前の波面収差分布の測定結果に対して、取得された切開収差情報を付与することにより、角膜切開創を形成した後の予想波面収差を算出する。そして、制御部８０は、得られた波面収差に基づいて眼内レンズ手術をガイドするためのガイド情報を出力する。
【００３３】
なお、上記テーブルを作成する場合、例えば、被検眼に対して所定の位置及び所定のサイズの切開創を作成した場合において、切開創を作成する前と後での波面収差分布の変化量を基に切開収差情報を得る。そして、多くの被検眼に対して手術を行ったときの切開創の位置毎及び切開創のサイズ毎に応じた，波面収差分布の変化量を収集することにより切開創位置及び切開創のサイズ毎の切開収差情報テーブルが作成される。
【００３４】
波面収差の測定結果を補正後、制御部８０は、ゼルニケ多項式を用いて、波面収差測定結果（波面収差成分）に基づいて、Ｓ（球面度数）、Ｃ（柱面度数）、Ａ（乱視軸方向（乱視軸角度））の各値を演算する。これによって、角膜切開創を作成した後の被検眼における乱視軸方向を算出することができる。
【００３５】
図５はモニタ７０の表示画面の一例を示している。本実施形態において、眼内レンズ手術をガイドするためのガイド情報として、制御部８０は、波面収差に基づいて被検眼の乱視軸方向を算出し、算出した被検眼の乱視軸情報を出力する。すなわち、制御部８０は、モニタ７０に算出した術後（角膜切開創を形成後）の被検眼の乱視軸方向を算出し、算出された乱視軸方向（軸方向）に関する情報をモニタ７０に出力する。算出された軸方向情報は、例えば、トーリックＩＯＬを眼内に配置するときのガイドとして利用される。
【００３６】
例えば、制御部８０は、前述の乱視軸方向の検出結果を用いて角膜乱視軸方向を示す乱視軸指標（図５のラインＫ１参照）を撮像光学系３０によって撮像（観察）される前眼部画像（観察像）上に重畳表示する。制御部８０は、前述のように算出された乱視軸角度に対応するラインＫ１の表示角度を求め、プラチド指標の中心（装置光軸）を通るようにラインＫ１を合成する。なお、乱視軸指標（Ｋ１）は、例えば、眼Ｅの角膜の強主経線方向を示すように表示される。
【００３７】
また、制御部８０は、被検眼の乱視軸方向に基づいて、ＩＯＬ挿入時におけるトーリックＩＯＬの乱視軸方向（乱視軸）を算出する。なお、トーリックＩＯＬの乱視軸方向を算出する際、予め、メモリ８５に記憶されたメーカー毎のＩＯＬの乱視軸情報に基づいて、トーリックＩＯＬの乱視軸方向が算出される。
【００３８】
そして、制御部８０は、挿入するトーリックＩＯＬの乱視軸方向を示すレンズ乱視軸指標（図５のラインＭ１参照）を角膜乱視軸視標（図５のラインＫ１参照）と共に表示する。これによって、検者は、トーリックＩＯＬを挿入際に、レンズ乱視軸指標を確認しながらＩＯＬの挿入を行うことができ、容易にトーリックＩＯＬを眼内の適正な位置に配置することができる。なお、指標の形状は、ラインに限定されず、例えば、制御部８０は、ＩＯＬを模したグラフィックをモニタ７０に表示し、眼Ｅの角膜乱視軸に応じてグラフィックの表示角度を調整するようにしてもよい。以上のように、制御部８０は、算出された乱視軸情報を示すグラフィックを生成し、撮像光学系３０によって撮像される前眼部画像上に重畳表示する。
【００３９】
このように、本発明によれば、角膜切開創の作成による角膜形状の変化を波面収差によって、角膜形状全体の変化として捉えている。このため、この測定結果を用いて、角膜切開創を作成した後の被検眼の乱視軸方向を算出した場合に算出精度が向上する。また、波面収差によって角膜形状全体の変化を捉えているため、不正乱視をもつような被検眼の乱視軸を精度よく算出することが可能となる。そして、トーリックＩＯＬ挿入時において、算出した乱視軸方向に基づいて、トーリックＩＯＬの配置を行うことによって、矯正精度が向上する。
【００４０】
＜眼軸長測定＞
眼軸長測定では、検者は、モニタ７０に表示される被検眼のアライメント状態を見ながら、図示なきジョイスティック等の操作手段を用いて、装置を上下左右及び前後方向に移動させ、装置を被検眼Ｅに対して所定の位置関係に置く。
【００４１】
アライメント完了後、測定開始のトリガ信号が自動又は手動にて出力され、制御部８０によって測定光源１が点灯されると、眼軸長測定部１０によって測定光が被検眼に照射されると共に、測定光による被検眼からの反射光が眼軸長測定部１０の受光素子に入射される。そして、受光素子から出力される受光信号に基づいて、受光素子によって干渉光が検出されたタイミングを元に、眼軸長が算出される。算出された眼軸長は、被検眼に挿入するためのＩＯＬの度数を算出する際に、ＩＯＬ計算式にて用いられる。
【００４２】
＜変容例＞
なお、本実施形態においては、角膜形状測定結果を用いて、乱視軸方向を補正する構成としたがこれに限定されない。制御部８０は、上記のようにして算出された波面収差を用いて、眼内レンズの度数計算を行う。すなわち、制御部８０は、上記のように取得される角膜形状測定結果をＩＯＬ計算式に代入することにより、ＩＯＬの度数の算出精度を向上させることにも用いることができる。例えば、制御部８０は、角膜切開創に応じて算出された波面収差に基づいて、角膜曲率を算出し、算出した角膜曲率に基づいて光線追跡法（光線シミュレーション）を用いてＩＯＬの度数を算出する。
【００４３】
なお、本実施形態においては、角膜切開創位置及び角膜切開創サイズに基づいて、切開収差情報が取得される構成としたがこれに限定されない。角膜切開創情報は、角膜切開創位置情報及び角膜切開創のサイズ情報の少なくとも一方であってもよい。制御部８０は、入力された角膜切開創位置情報及び角膜切開創サイズ情報の少なくとも一方に対応する切開収差情報を取得し、切開前の波面収差と切開収差情報とに基づいて、角膜切開創形成後の波面収差を算出する。
【００４４】
また、前眼部測定手段によって前眼部情報を取得し、切開前の波面収差、切開収差情報、前眼部情報、に基づいて、切開創形成後の波面収差を算出するようにしてもよい。例えば、制御部８０は、角膜切開創位置及び角膜切開創サイズに加えて、眼圧値，角膜厚、角膜後面の曲率半径、角膜径のいずれかに基づいて、切開収差情報が取得される。これにより、切開位置に加えて角膜厚等が考慮された切開収差情報が取得され、角膜厚等により変動が回避される。上記において、もちろん、いずれかの測定結果の組み合わせから切開収差情報が取得してもよい。この場合、前眼部測定手段として、前眼部の形態情報を得ることが可能な前眼部ＯＣＴ、シャインプルーフ式前眼部断面像撮影装置が用いられる。
【００４５】
また、眼圧計によって被検者眼の眼圧情報を取得し、切開前の波面収差、切開収差情報、眼圧情報に基づいて、切開創形成後の波面収差を算出するようにしてもよい。これにより、眼圧の強弱による切開創形成後の波面収差の変動を補正できる。  なお、前述のように算出した乱視軸方向を印点マーカー、強膜血管、虹彩模様、眼底像、角膜厚プロファイル等の情報と関連付けして記憶させておき、これをトーリックＩＯＬの配置を行うためのガイド情報として用いてもよい。
【００４６】
なお、本実施形態において、制御部８０は、角膜形状測定部５から取得された眼の回旋情報に基づいてガイド情報の生成角度を補正するとより精度を向上させることができるため、好ましい。また、術前に眼底血管パターンを撮像しておき、眼底血管パターンとの関係から眼の回旋情報を取得し、ガイド情報の生成角度を補正するようにしてもよい。もちろん、術中に眼底血管パターンを観察しながら、眼の回旋情報を取得し、術者にガイド情報の生成角度を補正して、ナビゲートするようにしてもよい。
【００４７】
なお、本実施形態においては、ガイドパターンの表示において、挿入するトーリックＩＯＬの乱視軸を示すレンズ乱視軸指標を角膜乱視軸視標と共に表示する構成としたがこれに限定されない。どちらか一方の指標を表示するようにしてもよい。また、どちらも表示しない構成としてもよい。この場合、例えば、前眼部画像上に目盛を表示し、算出した角度情報（角度）を表示するようにしてもよい。もちろん、制御部８０は、ガイドパターンを表示するか否かを選択できるようにしてもよい。
【００４８】
なお、本実施形態においては、波面収差の測定結果を補正後、角膜切開創を作成した後の被検眼における乱視軸方向を算出し、乱視軸方向に基づいて、トーリックＩＯＬの配置位置を設定する構成としたがこれに限定されない。トーリックＩＯＬを挿入した際に、波面収差が所望の収差量となる配置角度（例えば、収差がもっとも小さくなる位置）を算出する構成としてもよい。例えば、切開情報に基づく波面収差の補正後、制御部８０は、シミュレーションでトーリックＩＯＬの乱視軸を回転させていき、各位置における波面収差を検出していく。そして、波面収差がもっとも小さくなる位置を算出する。この場合、制御部８０は、例えば、検者によって特定されたトーリックＩＯＬの回転位置情報に基づいて波面収差を算出する。制御部８０は、例えば、検者によって特定されたトーリックＩＯＬの回転位置情報に基づいて，ＩＯＬ挿入後の波面収差を算出してもよい。また、制御部８０は、例えば、トーリックＩＯＬの回転位置毎（例えば、一度毎）のＩＯＬ挿入後の波面収差を算出し、所望の収差量に近接する回転位置を求めるようにしてもよい。
【００４９】
なお、本発明は、ＩＯＬ挿入時の見え方シミュレーションにも適用することが可能である。例えば、前述のように取得された被検眼角膜の波面収差に対してトーリックＩＯＬが持つ収差を加える演算処理を行ったときの被検眼の波面収差を算出し、算出された波面収差を利用して点像強度特性（point spread function；ＰＳＦ）を求める。次に、得られたＰＳＦと所定の指標（ＥＴＤＲＳ全体、ＥＴＤＲＳ全体、風景の各項目）とを画像処理（コンボリューション積分）することにより、選択されたトーリックＩＯＬを挿入した際に所定の視標がどのように被検眼網膜面に形成されるかのシミュレーション画像を得る。そして、選択されたトーリックＩＯＬモデルをそれぞれ被検眼の眼内に挿入した際のシミュレーション画像をモニタ７０に表示する。この場合、各種トーリックＩＯＬに対応する収差情報がそれぞれ予めメモリ８５に記憶される（例えば、メーカ名、度数、レンズの種類に応じたデータが用意される）。
【００５０】
上記シミュレーションにおいて、あるトーリックＩＯＬが選択されると、制御部８０は、選択されたトーリックＩＯＬの乱視軸を回転させ、所望の収差量となる回転位置情報を得る。取得された回転位置情報は、モニタ７０上に表示される。
【００５１】
なお、本実施形態においては、制御部８０が被検眼の瞳孔径を算出し、角膜形状測定部５によって測定された波面収差の内、算出された瞳孔径の領域に対応する波面収差領域を波面収差として算出する構成としたがこれに限定されない。例えば、瞳孔径によらず、角膜全体領域の波面収差を波面収差として用いる構成としてもよい。
【００５２】
なお、本実施形態においては、角膜形状測定部において、プラチドリング投影光学系を用いる構成を例に挙げたがこれに限定されない。例えば、前眼部断層像（断面像）撮影用の光コヒーレンストモグラフィーデバイスにおいて、複数の走査位置にて前眼部断層像を取得することにより３次元形状画像を取得する場合においても適用可能である。そして、３次元形状画像より波面収差が検出される。
【００５３】
また、検眼の前眼部にスリット光を投影し、シャインプルークカメラにより前眼部断面画像を得る装置等にも適用可能である。この場合、シャインプルークカメラを回転させることにより前眼部の３次元形状画像を取得する。そして、３次元形状画像より波面収差が検出される。このとき、所定の回転角度毎にずれ補正を行うことによって、精度よく前眼部の３次元形状画像を取得することが可能となり、３次元形状画像より取得される測定結果の精度が良くなる。なお、撮像面（スリット断面）に対して垂直な方向の位置ずれが検出され、その検出結果に基づいてずれ補正処理が行われる。
【００５４】
なお、本発明においては、本実施形態に記載した装置に限定されない。例えば、上記実施形態の機能を行う眼科解析ソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。
【図面の簡単な説明】
【００５５】
【図１】本実施形態に係る眼科装置の光学系及び制御系について示す概略構成図である。
【図２】本装置における制御動作のフローチャートを示す図である。
【図３】瞳孔径を検出する方法について説明する図である。
【図４】角膜切開前と角膜切開後の収差の変化を示す図である。
【図５】モニタの表示画面の一例を示す図である。
【符号の説明】
【００５６】
５  角膜形状測定部
１０  眼軸長測定部
３０  撮像光学系
４０  プラチドリング投影光学系
７０  モニタ
８０  制御部
８４  操作部
８５  メモリ
【図１】
2013135837.tif 000003
【図２】
2013135837.tif 000004
【図３】
2013135837.tif 000005
【図４】
2013135837.tif 000006
【図５】
2013135837.tif 000007